(57)【要約】  システムおよび方法は、チャネル状態および／またはデータ転送速度に基づいて電子デバイスの回路によって消費される電力を動的にスケーリングする。そして、前記電子デバイスは、このような電力スケーリングに従って動作する。前記スケーリングは、有効なデータ転送速度、多入力多出力（ＭＩＭＯ）レイヤーの数、受信機の種類、セル・シナリオ、またはキャリアの数に従い得る。ＭＩＭＯレイヤーの数は、チャネル状態またはチャネル品質インデックス（ＣＱＩ）のうちの少なくとも１つに基づいて、予測されることができる。
2015534349.tif 000002
【特許請求の範囲】
【請求項１】
チャネル状態またはデータ転送速度のうちの少なくとも１つに少なくとも部分的に基づいて、電子デバイスの回路によって消費される電力を動的にスケーリングすることを備える、ワイヤレス通信の方法。
【請求項２】
前記動的にスケーリングすることは、予測される計算の複雑性に少なくとも部分的に基づいて、電圧および周波数をスケーリングすることを備える、請求項１に記載の方法。
【請求項３】
前記周波数は、サブデバイダ・レシオ（subdivider ratio）を適用することによって動的にスケーリングされる、請求項２に係る方法。
【請求項４】
前記予測される計算の複雑性は、有効なデータ転送速度、多入力多出力（ＭＩＭＯ）レイヤーの数、受信機の種類、セル・シナリオ、または、キャリアの数のうち少なくとも１つに少なくとも部分的に基づく、請求項２に記載の方法。
【請求項５】
前記セル・シナリオは、送信アンテナの数、またはＭＩＭＯモードのうちの少なくとも１つを含む、請求項４に記載の方法。
【請求項６】
前記予測される計算の複雑性は、事前計算されたテーブルまたは数式のうちの少なくとも１つを使用して予測され得る、請求項４に記載の方法。
【請求項７】
チャネル状態またはチャネル品質インデックス（ＣＱＩ）のうちの少なくとも１つに少なくとも部分的に基づいて、ＭＩＭＯレイヤーの数を予測することをさらに備える、請求項４に記載の方法。
【請求項８】
ＣＱＩおよび現在のデータ転送速度に基づいて、前記有効なデータ転送速度を予測することをさらに備える、請求項４に記載の方法。
【請求項９】
前記回路の複数のコンポーネントに対して個別に電圧および周波数を動的にスケーリングすることをさらに備える、請求項１に記載の方法。
【請求項１０】
前記動的にスケーリングすることは、少なくとも１つの回路の電源を切ることをさらに備える、請求項１に記載の方法。
【請求項１１】
前記少なくとも１つの回路の電源を切ることは、電力崩壊スイッチを駆動することをさらに備える、請求項１０に記載の方法。
【請求項１２】
前記動的にスケーリングすることは、電力レールを調整することをさらに備える、請求項１に記載の方法。
【請求項１３】
前記チャネル状態は、ユーザ装置（ＵＥ）によって報告されるチャネル品質インジケータ（ＣＱＩ）インデックス値に対応する、請求項１に記載の方法。
【請求項１４】
前記データ転送速度は、現在および／または過去のデータ転送速度に対応する、請求項１に記載の方法。
【請求項１５】
メモリと、
前記メモリに結合されている少なくとも１つのプロセッサとを備え、前記少なくとも１つのプロセッサは、
チャネル状態またはデータ転送速度のうちの少なくとも１つに少なくとも部分的に基づいて、電子デバイスの回路によって消費される電力を動的にスケーリングするように構成されている、ワイヤレス通信のための装置。
【請求項１６】
予測される計算の複雑性に少なくとも部分的に基づいて電圧および周波数をスケーリングすることによって、動的にスケーリングするようにさらに構成されている、請求項１５に記載の装置。
【請求項１７】
前記周波数は、サブデバイダ・レシオを適用することによって動的にスケーリングされる、請求項１６に記載の装置。
【請求項１８】
前記予測される計算の複雑性は、有効なデータ転送速度、多入力多出力（ＭＩＭＯ）レイヤーの数、受信機の種類、セル・シナリオ、または、キャリアの数のうちの少なくとも１つに少なくとも部分的に基づく、請求項１６に記載の装置。
【請求項１９】
前記セル・シナリオは、送信アンテナの数、またはＭＩＭＯモードのうちの少なくとも１つを含む、請求項１８に記載の装置。
【請求項２０】
前記予測される計算の複雑性は、事前計算されたテーブルまたは数式のうちの少なくとも１つを使用して予測され得る、請求項１８に記載の装置。
【請求項２１】
前記少なくとも１つのプロセッサは、チャネル状態またはチャネル品質インデックス（ＣＱＩ）のうちの少なくとも１つに少なくとも部分的に基づいて、ＭＩＭＯレイヤーの数を予測するようにさらに構成されている、請求項１８に記載の装置。
【請求項２２】
前記少なくとも１つのプロセッサは、ＣＱＩおよび現在のデータ転送速度に基づいて前記有効なデータ転送速度を予測するようにさらに構成されている、請求項１８に記載の装置。
【請求項２３】
前記少なくとも１つのプロセッサは、前記回路の複数のコンポーネントに対して個別に電圧および周波数を動的にスケーリングするようにさらに構成されている、請求項１５に記載の装置。
【請求項２４】
前記少なくとも１つのプロセッサは、少なくとも１つの回路の電源を切ることによって動的にスケーリングするようにさらに構成されている、請求項１５に記載の装置。
【請求項２５】
前記少なくとも１つのプロセッサは、電力崩壊スイッチを駆動することによって少なくとも１つの回路の電源を切るようにさらに構成されている、請求項２４に記載の装置。
【請求項２６】
前記少なくとも１つのプロセッサは、電力レールを調整することによって動的にスケーリングするようにさらに構成されている、請求項１５に記載の装置。
【請求項２７】
前記チャネル状態は、ユーザ装置（ＵＥ）によって報告されるチャネル品質インジケータ（ＣＱＩ）インデックス値に対応する、請求項１５に記載の装置。
【請求項２８】
前記データ転送速度は、現在の、および／または、過去のデータ転送速度に対応する、請求項１５に記載の装置。
【請求項２９】
ワイヤレス・ネットワークにおけるワイヤレス通信のためのコンピュータ・プログラム製品であって、
記録された非一時的なプログラム・コードを有する非一時的なコンピュータ可読媒体を備え、前記プログラム・コードは、
チャネル状態またはデータ転送速度のうちの少なくとも１つに少なくとも部分的に基づいて、電子デバイスの回路によって消費される電力を動的にスケーリングするためのプログラム・コードを備える、コンピュータ・プログラム製品。
【請求項３０】
チャネル状態またはデータ転送速度のうちの少なくとも１つに少なくとも部分的に基づいて、電子デバイスの回路によって消費される電力を動的にスケーリングするための手段と、
前記スケーリングされた電力に従って前記電子デバイスを動作するための手段と、を備える、ワイヤレス通信のための装置。
【発明の詳細な説明】
【関連出願の相互参照】
【０００１】
[0001]  本願は、２０１３年９月１３日付で提出された「Dynamic Power Scaling of Digital Modems」と題する米国仮特許出願６１／７００，８３１に基づく優先権を、米国特許法第１１９条（e）の下で主張しており、この仮特許出願の開示は、本出願において、参照によって本書に組み込まれる。
【技術分野】
【０００２】
[0002]  本開示の態様は、一般に、ワイヤレス通信システムに関わり、より具体的には、モデムのような電子デバイスによって消費される処理電力に適合するように、クロックおよび周波数を動的にスケーリングすることに関わる。
【背景技術】
【０００３】
[0003]  ワイヤレス通信システムは、電話通信、ビデオ、データ、メッセージング、およびブロードキャストのようなさまざまな遠隔通信サービスを提供するために広く展開されている。典型的なワイヤレス通信システムは、利用可能なシステム・リソース（例えば、帯域幅、送信電力）を共有することによって、多数のユーザとの通信をサポートすることが可能である多元接続技術を用い得る。このような多元接続技術のいくつかの例は、符号分割多元接続（ＣＤＭＡ）システム、時分割多元接続（ＴＤＭＡ)システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、および時分割同期符号分割多元接続（ＴＤ−ＳＣＤＭＡ）システムを含む。
【０００４】
[0004]  これら多元接続技術は、異なるワイヤレス・デバイスが地方自治体、国、地域、および地球規模で通信することを可能にする共通のプロトコルを提供するために、さまざまな遠隔通信規格において、適用されている。遠隔通信規格の１つの例は、ロング・ターム・エボリューション（ＬＴＥ）である。ＬＴＥは、第３世代パートナーシップ・プロジェクト（３ＧＰＰ）によって推奨されているユニバーサル・モバイル・テレコミュニケーション・システム（ＵＭＴＳ）モバイル規格に対する一連のエンハンスメント（enhancement）である。それは、スペクトル効率を改善することによってモバイル・ブロードバンド・インターネット・アクセスをより良好にサポートし、コストを下げ、サービスを改善し、新しいスペクトルを使用し、および、ダウンリンク（ＤＬ)におけるＯＦＣＭＡ、アップリンク（ＵＬ)におけるＳＣ−ＦＤＭＡ、および多入力多出力（ＭＩＭＯ）アンテナ技術を使用する他のオープン・スタンダードとより良好に統合することを、目的とするものである。しかしながら、モバイル・ブロードバンド・アクセスに対する要求が増え続けているので、ＬＴＥ技術の更なる改善の必要がある。好ましくは、このような改善は、これらの技術を用いる他の遠隔通信規格および多元接続技術に適用可能であるべきである。
【発明の概要】
【０００５】
[0005]  １つの態様では、ワイヤレス通信の１つの方法が開示される。この方法は、チャネル状態またはデータ転送速度（data rate）のうちの少なくとも１つに少なくとも部分的に基づいて、電子デバイスの回路によって消費される電力を動的にスケーリングすることを含む。
【０００６】
[0006]  他の態様は、メモリおよびこのメモリに結合された少なくとも１つのプロセッサを有するワイヤレス通信を開示する。このような（複数の）プロセッサは、チャネル状態またはデータ転送速度のうちの少なくとも１つに少なくとも部分的に基づいて、電子デバイスの回路によって消費される電力を動的にスケーリングするように構成されている。
【０００７】
[0007]  他の態様では、非一時的なコンピュータ可読媒体を有するワイヤレス・ネットワークにおけるワイヤレス通信のためのコンピュータ・プログラム製品が、開示される。コンピュータ可読媒体は、（複数の）プロセッサによって実行されるときに、（複数の）プロセッサに、チャネル状態またはデータ転送速度のうちの少なくとも１つに少なくとも部分的に基づいて、電子デバイスの回路によって消費される電力を動的にスケーリングすることの動作を実行させる、このコンピュータ可読媒体に記録された非一時的なプログラム・コードを有する。
【０００８】
[0008]  他の態様は、チャネル状態またはデータ転送速度のうちの少なくとも１つに少なくとも部分的に基づいて、電子デバイスの回路によって消費される電力を動的にスケーリングするための手段のための手段を含む装置を開示する。装置はまた、スケーリングされた電力に従って電子デバイスを動作するための手段を含む。
【０００９】
［0009］  これは、下記の詳細な説明がより理解されやすいように、本開示の特徴および技術的な利点の概要をやや幅広く述べている。本開示のさらなる特徴および利点は、下記に説明される。本開示が、本開示の同じ目的を実行するために他の構成を設計または変更するための基礎として、容易に使用され得ることは、当業者に理解されるべきである。このような同等の構成物が添付の請求項において説明されているような本開示の教示から逸脱していないこともまた、当業者に認識されるべきである。動作の方法および組織の両方に関する新規の特徴は、本開示に特有のものと考えられており、さらなる課題および利点と共に、添付の図面と関連して考慮されるときに下記の説明から容易に理解されるだろう。しかしながら、図面の各々は、実例および説明のためにのみ提供されているのであり、本開示の限定の定義として意図されるのではないことは、明確に理解されるべきである。
【００１０】
［0010］  本開示の特徴、性質、および利点は、同様の参照符号が全体にわたって対応して示されている図面と関連して理解されるとき、下記に説明される詳細な説明からより明らかとなるだろう。
【図面の簡単な説明】
【００１１】
【図１】［0011］  図１は、ネットワーク・アーキテクチャの一例を示すダイヤグラムである。
【図２】［0012］  図２は、アクセス・ネットワークの一例を示すダイヤグラムである。
【図３】[0013]  図３は、ＬＴＥにおけるダウンリンク・フレーム構造の一例を示すダイヤグラムである。
【図４】[0014]  図４は、ＬＴＥにおけるアップリンク・フレーム構造の一例を示すダイヤグラムである。
【図５】[0015]  図５は、ユーザおよび制御プレーンのための無線プロトコル・アーキテクチャの一例を示すダイヤグラムである。
【図６】[0016]  図６は、アクセス・ネットワークにおけるユーザ装置および発展型ノードＢの一例を示すダイヤグラムである。
【図７】［0017］  図７は、本開示の一態様に係る、一例のモデム・コアのコンポーネントを示すダイヤグラムである。
【図８】［0018］  図８は、本開示の一態様に係る、チャネル品質インジケータ（ＣＱＩ）インデックス・テーブルを示す。
【図９】［0019］  図９は、本開示の一態様に係る、動的電力スケーリング・システムの実装のブロック図である。
【図１０】［0020］  図１０は、本開示の一態様に係る、デジタル・モデムのための動的電力スケーリングの方法を示すブロック図である。
【図１１】［0021］  図１１は、本開示の一態様に係る、統合された回路のための動的電力管理の方法を示すブロック図である。
【図１２】［0022］  図１２は、本開示の一態様に係る、例示的な装置における異なるモジュール／手段／コンポーネントを示すブロック図である。
【発明を実施するための形態】
【００１２】
［0023］  添付の図面と関連して下記に説明される詳細な説明は、さまざまな形態の説明として意図されており、ここに説明されている概念が実施され得る形態のみを示す、ということは意図されない。この詳細な説明は、さまざまな概念の完全な理解を提供するために、具体的な詳細を含む。しかしながら、これらの概念がこれらの具体的な詳細なしでも実施され得ることは、当業者には明らかであろう。いくつかの事例では、周知の構造およびコンポーネントが、このような概念を曖昧にすることを避けるために、ブロック図の形式で示される。
【００１３】
［0024］  テレコミュニケーション・システムのいくつかの態様が、さまざまな装置および方法を参照して示される。これら装置および方法は、（「エレメント（elements）」と総称される）さまざまなブロック、モジュール、コンポーネント、回路、ステップ、プロセス、アルゴリズムなどによって、下記の詳細な説明で説明され、および、添付の図面に示される。これらエレメントは、電子ハードウェア、コンピュータ・ソフトウェア、またはそれらの任意の組合せを使用して実装され得る。このようなエレメントがハードウェアとして実装されるのか、ソフトウェアとして実装されるのかは、システムに課せられた設計制限および特定のアプリケーションに依存する。
【００１４】
［0025］  例の目的で、１つのエレメント、または、１つのエレメントの任意の部分、または、複数のエレメントの任意の組合せが、１つ以上のプロセッサを含む「処理システム」によって実装され得る。プロセッサのいくつかの例は、マイクロプロセッサ、マイクロコントローラ、デジタル信号プロセッサ（ＤＳＰ）、フィールド・プログラマブル・ゲート・アレー（ＦＰＧＡ）、プログラマブル・ロジック、デバイス（ＰＬＤ）、ステート・マシン、ゲーテッド・ロジック（gated logic）、離散ハードウェア回路、および、本開示全体にわたって説明されているさまざまな機能を実行するように構成されているその他任意のハードウェアを含む。処理システムの１つ以上のプロセッサは、ソフトウェアを実行し得る。ソフトウェアは、ソフトウェア、ファームウェア、ミドルウェア、マイクロコード、ハードウェア記述言語、またはその他のいずれの呼び名で呼ばれようと、命令群、命令群のセット、コード、コード・セグメント、プログラム・コード、プログラム、サブプログラム、ソフトウェア・モジュール、アプリケーション、ソフトウェア・アプリケーション、ソフトウェア・パッケージ、ルーティン、サブルーティン、オブジェクト、実行ファイル（executables）、実行ファイルのスレッド、手順、機能などを意味することが、広く解釈されるべきである。
【００１５】
［0026］  従って、１つ以上の例示的な実施形態では、説明されている機能が、ハードウェア、ソフトウェア、ファームウェア、またはその他任意の組合せにおいて実装され得る。ソフトウェアにおいて実装される場合、機能は、コンピュータ可読媒体における１つ以上の命令またはコードに記憶され得るか、コンピュータ可読媒体における１つ以上の命令またはコードとして、エンコードされ得る。コンピュータ可読媒体は、コンピュータ記憶媒体を含む。記憶媒体は、コンピュータによってアクセスされることができる任意の利用可能な媒体であり得る。限定ではなく例の目的で、このようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラム・コードを搬送または記憶するために使用されることができ、およびコンピュータによってアクセスされることができるその他任意の媒体を備えることができる。本書で使用されているようなディスク（disk）およびディスク（disc）は、コンパクト・ディスク（ＣＤ)、レーザ・ディスク、光ディスク、デジタル多用途ディスク（ＤＶＤ)、フロッピー（登録商標）・ディスク、およびブルーレイ・ディスク（登録商標）を含み、ディスク（disk）は通例磁気的にデータを再生し、これに対してディスク（disc）は、レーザを用いて光学的にデータを再生する。上記の組合せもまた、コンピュータ可読媒体の範囲内に含まれるべきである。
【００１６】
［0027］  図１は、ＬＴＥネットワーク・アーキテクチャ１００を示すダイヤグラムである。ＬＴＥネットワーク・アーキテクチャ１００は、発展型パケット・システム（ＥＰＳ：Evolved Packet System）１００と呼ばれ得る。ＥＰＳ１００は、１つ以上のユーザ装置（ＵＥ）１０２、発展型ＵＭＴＳ地上無線アクセス・ネットワーク（Ｅ−ＵＴＲＡＮ：Evolved UMTS Terrestrial Radio Access Network）１０４、発展型パケット・コア（ＥＰＣ：Evolved Packet Core）１１０、ホーム加入者サーバ（ＨＳＳ：Home Subscriber Server）１２０、および、オペレータのＩＰサービス１２２を含み得る。ＥＰＳは、他のアクセス・ネットワークと相互接続することができるが、簡潔にするために、これらのエンティティ／インターフェースは示されていない。図示されているように、ＥＰＳは、パケット交換サービスを提供しており、しかしながら、当業者は容易に理解し得るだろうが、本開示の全体にわたって示されているさまざまなコンセプトは、回路交換サービスを提供するネットワークに拡張され得る。
【００１７】
［0028］  Ｅ−ＵＴＲＡＮは、発展型ノードＢ（ｅＮｏｄｅＢ）１０６および他のｅＮｏｄｅＢ１０８を含む。ｅＮｏｄｅＢ１０６は、ユーザ装置１０２にユーザおよび制御プレーン・プロトコル端末を提供する。ｅＮｏｄｅＢ１０６は、バックホール（backhaul）（例えば、Ｘ２インターフェース）を介して、他のｅＮｏｄｅＢ１０８に接続され得る。ｅＮｏｄｅＢ１０６は、基地局（base station）、基地トランシーバ局（base transceiver station）、無線基地局、無線トランシーバ、トランシーバ機能、ベーシック・サービス・セット（ＢＳＳ）、拡張サービス・セット（ＥＳＳ）、またはその他いくつかの適切な専門用語でも呼ばれ得る。ｅＮｏｄｅＢ１０６は、ＵＥ１０２のために、ＥＰＣ１１０にアクセス・ポイントを提供する。ＵＥ１０２のいくつかの例は、セルラー電話、スマート・フォン、セッション開始プロトコル（ＳＩＰ：session initiation protocol）電話、ラップトップ、携帯情報端末（ＰＤＡ：personal digital assistant）、衛星ラジオ、グローバル・ポジショニング・システム、マルチメディア・デバイス、ビデオ・デバイス、デジタル・オーディオ・プレーヤ（例えばＭＰ３プレーヤ）、カメラ、ゲーム機、またはその他任意の同様の機能を有するデバイスを含む。ＵＥ１０２は、当業者によって、移動局、加入者ステーション（subscriber station）、モバイル・ユニット、加入者ユニット、ワイヤレス・ユニット、リモート・ユニット、モバイル・デバイス、ワイヤレス・デバイス、ワイヤレス通信デバイス、リモート・デバイス、モバイル加入者ステーション、アクセス端末、モバイル端末、ワイヤレス端末、リモート端末、ハンドセット、ユーザ・エージェント、モバイル・クライアント、クライアント、またはその他いくつかの適切な専門用語でも呼ばれ得る。
【００１８】
［0029］  ｅＮｏｄｅＢ１０６は、例えばＳ１インターフェースを介して、ＥＰＣ１１０に接続される。ＥＰＣ１１０は、モビリティ・マネジメント・エンティティ（ＭＭＥ）１１２、他のＭＭＥ１１４、サービング・ゲートウェイ１１６、およびパケット・データ・ネットワーク（ＰＤＮ）ゲートウェイ１１８を含む。ＭＭＥ１１２は、ＵＥ１０２およびＥＰＣ１１０の間の信号伝達を処理する制御ノードである。一般に、ＭＭＥ１１２は、ベアラおよび接続マネジメントを提供する。全てのユーザＩＰパケットは、サービング・ゲートウェイ１１６を通って転送され、これ自体は、ＰＤＮゲートウェイ１１８に接続されている。ＰＤＮゲートウェイ１１８は、ＵＥに、ＩＰアドレス割当てのみならず他の機能を提供する。ＰＤＮゲートウェイ１１８は、オペレータのＩＰサービス１２２に接続されている。オペレータのＩＰサービス１２２は、インターネット、イントラネット、ＩＰマルチメディア・サブシステム（ＩＭＳ)、およびＰＳストリ−ミング・サービス（ＰＳＳ）を含み得る。
【００１９】
［0030］  図２は、ＬＴＥネットワーク・アーキテクチャにおけるアクセス・ネットワーク２００の一例を示すダイヤグラムである。この例では、アクセス・ネットワーク２００は、複数のセルラー領域（セル）２０２に分けられる。１つ以上の低電力クラス（lower power class）のｅＮｏｄｅＢ２０８は、複数のセル２０２のうちの１つ以上とオーバーラップするセルラー領域２１０を有し得る。低電力クラスのｅＮｏｄｅＢ２０８は、遠隔無線ヘッド（ＲＲＨ：remote radio head)、フェムト・セル（例えば、ホームｅＮｏｄｅＢ（ＨｅＮｏｄｅＢ））、ピコ・セル、またはマイクロ・セルであり得る。マクロｅＮｏｄｅＢ２０４は、個別のセル２０２に各々割り当てられ、セル２０２におけるすべてのＵＥ２０６のためのＥＰＣ１１０に、アクセス・ポイントを提供するように構成されている。アクセス・ネットワーク２００のこの例には、集中型の制御装置（centralized controller）がないが、集中型の制御装置は、代替の構造において使用され得る。ｅＮｏｄｅＢ２０４は、サービング・ゲートウェイ１１６への接続性、安全性、スケジューリング、モビリティ制御、アドミッション制御、無線ベアラ制御を含む、全ての無線関連の機能を担う。
【００２０】
［0031］  アクセス・ネットワーク２００によって用いられる変調および多元接続スキームは、展開される特定のテレコミュニケーション規格に依存して、変更し得る。ＬＴＥのアプリケーションでは、周波数分割二重（ＦＤＤ)および時分割二重（ＴＤＤ)の両方をサポートするために、ＳＣ−ＦＤＭＡは、アップリンクにおいて使用され、ＯＦＤＭは、ダウンリンクにおいて使用される。当業者は下記の詳細の説明から容易に理解するであろうが、本書に示されているさまざまなコンセプトは、ＬＴＥのアプリケーションに対して非常に適している。しかしながら、これらのコンセプトは、他の変調および多元接続技術を用いる他のテレコミュニケーション技術に容易に拡張され得る。例の目的で、これらのコンセプトは、エボルーション・データ・オプティマイズド（ＥＶ−ＤＯ：Evolution-Data Optimized）またはウルトラ・モバイル・ブロードバンド（ＵＭＢ：Ultra Mobile Broadband)に拡張され得る。ＥＶ−ＤＯおよびＵＭＢは、ＣＤＭＡ２０００ファミリー規格の一部として第３世代パートナシップ・プロジェクト２（３ＧＰＰ２)によって推奨されているエア・インターフェース規格であり、移動局へのブロードバンド・インターネット・アクセスを提供するためにＣＤＭＡを用いる。これらのコンセプトはまた、広帯域ＣＤＭＡ（Ｗ−ＣＤＭＡ）およびＴＤ−ＳＣＤＭＡのような他のＣＤＭＡの変形例を用いるユニバーサル地上無線接続（ＵＴＲＡ：Universal Terrestrial Radio Access）、ＴＤＭＡを用いるモバイル通信のためのグローバル・システム（ＧＳＭ（登録商標）)、発展型ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ)、ＩＥＥＥ８０２．２０、およびＯＦＤＭＡを用いるフラッシュＯＦＤＭ（Flash-ＯＦＤＭ）に拡張され得る。ＵＴＲＡ、Ｅ−ＵＴＲＡ、ＵＭＴＳ、ＬＴＥおよびＧＳＭは、３ＧＰＰ機関による書類で説明されている。ＣＤＭＡ２０００およびＵＭＢは、３ＧＰＰ２機関による書類で説明されている。実際の無線通信規格（actual wireless communication standard）、および、用いられている多元接続技術は、システムに課せられた全体の設計制限および特定のアプリケーションに依存するだろう。
【００２１】
［0032］  ｅＮｏｄｅＢ２０４は、ＭＩＭＯ技術をサポートする複数のアンテナを有し得る。ＭＩＭＯ技術の使用は、ｅＮｏｄｅＢ２０４が空間多重化、ビームフォーミング、および送信ダイバーシティをサポートするために空間ドメインを利用すること可能にする。空間多重化は、同じ周波数で同時に異なるストリームのデータを送信するために使用され得る。データ・スチーム（data steam）は、データ送信速度を高めるために単一のＵＥ２０６に、および、全システム容量を増大するために複数のＵＥ２０６に、送信され得る。これは、各データ・ストリームを空間的にプレコーディング（precoding）し（例えば、振幅および位相のスケーリングを適用し）、そしてダウンリンクにおける複数の送信アンテナを通って各空間的にプレコーディングされたストリームを送信することによって、果たされる。空間的にプレコーディングされたデータ・ストリームは、異なる空間的なシグナチャー（spatial signature）を有する（複数の、または単数の）ＵＥ２０６に到達し、これは、（複数のまたは単数の）ＵＥ２０６の各々が、そのＵＥ２０６に向けられる１つ以上のデータ・ストリームを回復することを可能にする。アップリンクでは、各ＵＥ２０６は、空間的にプレコーディングされたデータ・ストリームを送信し、これは、ｅＮｏｄｅＢ２０４が、各空間的にプレコーディングされたデータ・ストリームのソースを特定することを可能にする。
【００２２】
［0033］  空間的多重化は、一般に、チャネル状態が良好であるときに使用される。チャネル状態があまり好ましくないとき、ビームフォーミングが、１つ以上の方向に送信エネルギーの焦点を合わせるために、使用され得る。このことは、複数のアンテナを通る送信のために、データを空間的にプレコーディングすることによって、果たされ得る。セルの端部において良好なカバレッジ（coverage）を得るために、単一のストリーム・ビームフォーミング送信が、送信ダイバーシティと組み合わせて使用され得る。
【００２３】
［0034］  下記の詳細な説明において、アクセス・ネットワークのさまざまな態様が、ダウンリンクにおけるＯＦＤＭをサポートするＭＩＭＯシステムを参照して、説明される。ＯＦＤＭは、ＯＦＤＭシンボル内の複数のサブキャリア上でデータを変調するスペクトラム拡散技術である。サブキャリアは、正確な周波数で離れて存在している。離れて存在することは、「直交性（orthogonality）」を提供し、受信機がサブキャリアからデータを回復することを可能にする。時間ドメインにおいて、ガード・インターバル（例えば、サイクリック・プレフィックス（cyclic prefix））は、ＯＦＤＭシンボル間の干渉（inter-OFDM-symbol interference）に対抗するために、各ＯＦＤＭシンボルに加えられ得る。アップリンクは、高いピーク対平均電力比（ＰＡＰＲ)を補うために、ＤＦＴ拡散ＯＦＤＭ信号（DFT-spread OFDM signal）の形態で、ＳＣ−ＦＤＭＡを使用し得る。
【００２４】
［0035］  図３は、ＬＴＥにおいてダウンリンク・フレーム構造の一例を示すダイヤグラム３００である。フレーム（１０ｍｓ）は、１０個の同じ大きさのサブフレームに分けられ得る。各サブフレームは、２つの連続したタイム・スロットを含み得る。リソース・グリッドは、２つのタイム・スロットを示すために使用され得、各タイム・スロットは、１つのリソース・ブロックを含む。リソース・グリッドは、複数のリソース・エレメントに分けられる。ＬＴＥでは、リソース・ブロックは、周波数ドメインにおいて１２の連続したサブキャリアを含み、各ＯＦＤＭシンボルにおける標準のサイクリック・プレフィックスに関しては、時間ドメインにおいて７つの連続したＯＦＤＭを含み、すなわち８４のリソース・エレメントを含む。拡張されたサイクリック・プレフィックスに関しては、リソース・ブロックは、時間ドメインにおいて６つの連続したＯＦＤＭシンボルを含み、７２のリソース・エレメントを有している。リソース・エレメントのいくつかは、Ｒ３０２、３０４と示されているように、ダウンリンク基準信号（ＤＬ−ＲＳ)を含む。ＤＬ−ＲＳは、セル固有のＲＳ（ＣＲＳ)（また、時には共通のＲＳ（common RS）と称される）３０２と、ＵＥ固有のＲＳ（ＵＥ-ＲＳ）３０４を含む。ＵＥ-ＲＳ３０４は、リソース・ブロックにおいてのみ送信され、これに対して、対応する物理ダウンリンク共有チャネル（ＰＤＳＣＨ：physical downlink shared channel）がマッピングされる。各リソースによって搬送されるビットの数は、変調方式に依存する。かくして、ＵＥが受信するリソース・ブロックが多く、かつ変調方式が高いほどに、ＵＥに対するデータ転送速度は高速になる。
【００２５】
［0036］  図４は、ＬＴＥにおいてアップリンク・フレーム構造の一例を示すダイヤグラム４００である。アップリンクに対して利用可能なリソース・ブロックは、データ・セクションと制御セクションにセグメント化され得る。制御セクションは、システム帯域幅の２つの端部に形成され得、設定可能な大きさを有し得る。制御セクションにおけるリソース・ブロックは、制御情報の送信のために、ＵＥに割り当てられ得る。データ・セクションは、制御セクションに含まれないすべてのリソース・ブロックを含み得る。アップリンク・フレーム構造は、隣接するサブキャリアを含むデータ・セクションをもたらし、それは、単一のＵＥが、データ・セクションにおいて隣接するサブキャリアのすべてを割り当てられることを可能にし得る。
【００２６】
［0037］  ＵＥは、ｅＮｏｄｅＢに制御情報を送信するために、制御セクションにおいてリソース・ブロック４１０ａ、４１０ｂを割り当てられ得る。ＵＥは、また、ｅＮｏｄｅＢにデータを送信するために、データ・セクションにおいてリソース・ブロック４２０ａ、４２０ｂを割り当てられ得る。ＵＥは、制御セクションにおいて割り当てられたリソース・ブロック上の物理アップリンク制御チャネル（ＰＵＣＣＨ：physical uplink control channel）において制御情報を送信し得る。ＵＥは、データ・セクションで割り当てられたリソース・ブロック上の物理アップリンク共有チャネル（ＰＵＳＣＨ）においてデータのみを、または、データおよび制御情報の両方を送信し得る。アップリンク送信は、サブフレームの両方のスロットに広がり得、および、周波数を横切ってホッピングし（hop across frequency）得る。
【００２７】
［0038］  一連のリソース・ブロックは、初期システム・アクセスを実行するために使用され、物理ランダム・アクセス・チャネル（ＰＲＡＣＨ）４３０においてアップリンク同期（uplink synchronization）を達成し得る。ＰＲＡＣＨ４３０は、ランダム・シーケンスを搬送し、いかなるアップリンク・データ／シグナリングも搬送することができない。各ランダム・アクセス・プリアンブル（random access preamble）が、６つの連続したリソース・ブロックに対応した帯域幅を占有する。始動周波数が、ネットワークによって指定される。即ち、ランダム・アクセス・プリアンブルの送信は、特定の時間および周波数リソースに制限される。ＰＲＡＣＨのための周波数ホッピングはない。ＰＲＡＣＨの試みは、単一のサブフレーム（１ｍｓ）で、または、一連の少量の隣接したサブフレームで搬送され、ＵＥは、フレーム（１０ｍｓ）毎に単一のＰＲＡＣＨの試みのみを行うことができる。
【００２８】
［0039］  図５は、ＬＴＥにおける制御プレーンおよびユーザのための無線プロトコル・アーキテクチャの一例を示すダイヤグラム５００である。ＮｏｄｅＢおよびＵＥのための無線プロトコル・アーキテクチャが、３つのレイヤー、即ち、レイヤー１、レイヤー２、およびレイヤー３によって示されている。レイヤー１（Ｌ１レイヤー）は、最も下位のレイヤーであり、複数の機能を処理するさまざまな物理レイヤー信号を実装する。Ｌ１レイヤーは、ここでは物理レイヤー５０６と呼ばれるだろう。レイヤー２（Ｌ２レイヤー）５０８は、物理レイヤー５０６より上にあり、物理レイヤー５０６より上のノードＢおよびＵＥの間のリンクを担う。
【００２９】
［0040］  ユーザ・プレーンにおいて、Ｌ２レイヤー５０８は、メディア・アクセス制御（ＭＡＣ）サブレイヤー５１０、無線リンク制御（ＲＬＣ）サブレイヤー５１２、およびパケット・データ集中プロトコル（ＰＤＣＰ：packet data convergence protocol）５１４サブレイヤーを含み、これらは、ネットワーク・サイドのｅＮｏｄｅＢにおいて終了される。図示されていないが、ＵＥは、ネットワーク・サイドのＰＤＮゲートウェイ１１８において終了されるネットワーク・レイヤー（例えば、ＩＰレイヤー）、および、接続の他方の端部で終了されるアプリケーション・レイヤー（例えば、最遠端部のＵＥ、サーバ、など）を含む、Ｌ２レイヤー５０８より上のいくつかの上位レイヤーを有し得る。
【００３０】
［0041］  ＰＤＣＰサブレイヤー５１４は、異なる無線ベアラおよび論理チャネルの間で多重化を提供する。ＰＤＣＰサブレイヤー５１４はまた、無線送信オーバーヘッドを低減するための下位レイヤーのデータ・パケットに対するヘッダ圧縮、データ・パケットを暗号化すること（ciphering）によるセキュリティ、および、ｅＮｏｄｅＢ間の複数のＵＥに対するハンドオーバー・サポートを提供する。ＲＬＣサブレイヤー５１２は、ハイブリッド自動再送要求（ＨＡＲＱ：hybrid automatic repeat request）のために調子が悪い受信を補償するために、データ・パケットの再オーダ、および、消失したデータ・パケットの再送信、上位レイヤーのデータ・パケットのリアセンブリおよび分割を提供する。ＭＡＣサブレイヤー５１０は、論理チャネルおよびトランスポート・チャネルの間の多重化を提供する。ＭＡＣサブレイヤー５１０はまた、複数のＵＥ間の１つのセルにおいて、さまざまな無線リソース（例えば、リソース・ブロック）を割り当てることを担う。ＭＡＣサブレイヤー５１０はまた、ＨＡＲＱ動作を担う。
【００３１】
［0042］  制御プレーンにおいて、ＵＥおよびｅＮｏｄｅＢに対する無線プロトコル・アーキテクチャは、制御プレーンに対するヘッダ圧縮機能がないこと以外は、物理レイヤー５０６およびＬ２レイヤー５０８とほぼ同じである。制御プレーンはまた、レイヤー３（Ｌ３レイヤー）における無線リソース制御（ＲＲＣ）サブレイヤー５１６を含む。ＲＲＣサブレイヤー５１６は、ｅＮｏｄｅＢおよびＵＥの間のＲＲＣ信号を使用して下位レイヤーを構成すること、および、無線リソース（即ち、無線ベアラ）を得ることを担う。
【００３２】
［0043］  図６は、アクセス・ネットワークにおいてＵＥ６５０と通信するｅＮｏｄｅＢ６１０のブロック・ダイヤグラムである。ダウンリンクにおいて、コア・ネットワークからの上位レイヤー・パケットは、制御装置／プロセッサ６７５に提供される。制御装置／プロセッサ６７５は、Ｌ２レイヤーの機能を実装する。ダウンリンクにおいて、制御装置／プロセッサ６７５は、さまざまなプライオリティ・メトリック（priority metric）に基づくＵＥ６５０への無線リソース割り当て、論理チャネルおよびトランスポート・チャネルの間の多重化、パケット分割および再オーダ、暗号化、ヘッダ圧縮を提供する。制御装置／プロセッサ６７５はまた、ＨＡＲＱ動作、消失したデータ・パケットの再送信、および、ＵＥ６５０への信号伝達を担う。
【００３３】
［0044］  ＴＸプロセッサ６１６は、Ｌ１レイヤー（即ち、物理レイヤー）のためのさまざまな信号処理機能を実装する。信号処理機能は、さまざまな変調方式（例えば、二位相偏移変調（ＢＰＳＫ：binary phase-shift keying）、直交位相偏移変調（ＱＰＳＫ：quadrature phase-shift keying）、Ｍ相偏移変調（Ｍ−ＰＳＫ：M-phase-shift keying）、Ｍ直交振幅変調（Ｍ−ＱＡＭ：M-quadrature amplitude modulation）に基づく、信号配列へのマッピング、および、ＵＥ６５０における前方誤り訂正（ＦＥＣ）を容易にするための、インターリービングおよび符号化を含む。そして、符号化されたおよび変調されたシンボルは、並列ストリーム（parallel stream）に分裂される。そして、各ストリームは、ＯＦＤＭサブキャリアにマッピングされ、時間、および／または周波数ドメインにおける基準信号（例えば、パイロット）によって多重化され、そして、時間ドメインＯＦＤＭシンボル・ストリームを搬送する物理チャネルを生成するために、逆高速フーリエ変換（ＩＦＦＴ）を使用して一緒に組み合される。ＯＦＤＭストリームは、複数の空間ストリームを生成するために、空間的にプリコードされる。チャネル推定器６７４からのチャネル推定は、符号化および変調方式を決定するために、および、空間処理のために、使用され得る。チャネル推定は、ＵＥ６５０によって送信されるチャネル状態フィードバック、および／または、基準信号から得られ得る。そして、各空間ストリームは、個別の送信機６１８ＴＸを介して、異なるアンテナ６２０に提供される。各送信機６１８ＴＸは、送信のためのそれぞれの空間ストリームによって、ＲＦキャリアを変調する。
【００３４】
［0045］  ＵＥ６５０において、各受信機６５４ＲＸは、それぞれのアンテナ６５２を介して信号を受信する。各受信機６５４ＲＸは、変調された情報をＲＦキャリア上に再生し、受信機（ＲＸ）プロセッサ６５６に情報を提供する。ＲＸプロセッサ６５６は、Ｌ１レイヤーのさまざまな信号処理機能を実装する。ＲＸプロセッサ６５６は、ＵＥ６５０に向けられた任意の空間ストリームを再生するために、情報に空間処理を実行する。複数の空間ストリームは、ＵＥ６５０に向けられる場合、ＲＸプロセッサ６５６によって単一のＯＦＤＭ信号ストリームに組み合わされ得る。そして、ＲＸプロセッサ６５６は、高速フーリエ変換（ＦＦＴ）を使用して、ＯＦＤＭ信号ストリームを、時間ドメインから周波数ドメインに変換する。周波数ドメイン信号は、ＯＦＤＭ信号の各サブキャリアに対して個別のＯＦＤＭ信号ストリームを備える。各サブキャリアにおける信号、および基準信号は、ｅＮｏｄｅＢ６１０によって送信される最も可能性の高い信号配列ポイント（the most likely signal constellation point）を決定することによって、再生および復調される。これらの軟判定（soft decision）は、チャネル推定器６５８によって算出されるチャネル推定に基づき得る。そして、軟判定は、物理チャネルにおけるｅＮｏｄｅＢ６１０によって最初に送信されたデータおよび制御信号を再生するために、デインターリーブ（deinterleave）およびデコードされる。そして、データおよび制御信号は、制御装置／プロセッサ６５９に提供される。
【００３５】
［0046］  制御装置／プロセッサ６５９は、Ｌ２レイヤーを実装する。制御装置／プロセッサは、プログラム・コードおよびデータを格納するメモリ６６０と結合されることができる。メモリ６６０は、コンピュータ可読媒体と呼ばれ得る。アップリンクでは、制御／プロセッサ６５９は、トランスポートおよび論理チャネルの間の逆多重化（demultiplexing）、パケットリアセンブリ、暗号の解読、ヘッダの伸長、コア・ネットワークから上位レイヤー・パケットを再生するように処理する制御信号を、提供する。そして、上位レイヤー・パケットは、データ・シンク６６２に提供され、これは、Ｌ２レイヤーより上の全てのプロトコル・レイヤーを示す。さまざまな制御信号はまた、Ｌ３処理のためのデータ・シンク６６２に提供され得る。制御信号／プロセッサ６５９はまた、ＨＡＲＱ動作をサポートするために、肯定応答（ＡＣＫ）および／または否定応答（ＮＡＣＫ）プロトコルを使用したエラー検出を担う。
【００３６】
［0047］  アップリンクにおいて、データ・ソース６６７は、制御装置／プロセッサ６５９に、上位レイヤー・パケットを提供するために使用される。データ・ソース６６７は、Ｌ２レイヤーより上の全てのプロトコル・レイヤーを示す。ｅＮｏｄｅＢ６１０によるダウンリンク送信に関連して説明される機能と同様に、制御装置／プロセッサ６５９は、ヘッダ圧縮、暗号化、パケット分割および再オーダ、およびｅＮｏｄｅＢ６１０による無線リソース割り当てに基づく論理チャネルおよびトランスポート・チャネルの間の多重化を提供することによって、制御プレーンおよびユーザ・プレーンのためのＬ２レイヤーを実装する。制御装置／プロセッサ６５９はまた、ＨＡＲＱ動作、消失したパケットの再送信、およびｅＮｏｄｅＢ６１０への信号伝達を担う。
【００３７】
［0048］  ｅＮｏｄｅＢ６１０によって送信されるフィードバックまたは基準信号からチャネル推定器６５８によって得られるチャネル推定は、適切な符号化、および変調方式を選択するために、および空間処理を容易にするために、ＴＸプロセッサ６６８によって使用され得る。ＴＸプロセッサ６６８によって生成される空間ストリームは、個別の送信機６５４ＴＸを介して異なるアンテナ６５２に提供される。各送信機６５４ＴＸは、送信のためのそれぞれの空間ストリームによってＲＦキャリアを変調する。
【００３８】
［0049］  アップリンク送信は、ＵＥ６５０において受信機の機能に関連して説明されたのと同様のやり方で、ｅＮｏｄｅＢ６１０において処理される。各受信機６１８ＲＸは、それぞれのアンテナ６２０を介して信号を受信する。各受信機６１８ＲＸは、ＲＦキャリアに変調された情報を再生し、ＲＸプロセッサ６７０に情報を提供する。ＲＸプロセッサ６７０は、Ｌ１レイヤーを実装し得る。
【００３９】
［0050］  制御装置／プロセッサ６７５は、Ｌ２レイヤーを実装する。制御装置／プロセッサ６７５は、プログラム・コードおよびデータを格納するメモリ６７６に結合されることができる。メモリ６７６は、コンピュータ可読媒体と呼ばれ得る。アップリンクでは、制御装置／プロセッサ６７５は、トランスポート・チャネルおよび論理チャネルの間での逆多重化、パケットリアセンブリ(packet reassembly)、暗号の解読(deciphering)、ヘッダ伸長（header decompression）、ＵＥ６５０から上位レイヤー・パケットを再生するように処理する制御信号を、提供する。制御装置／プロセッサ６７５からの上位レイヤー・パケットは、コア・ネットワークに提供され得る。制御装置／プロセッサ６７５はまた、ＨＡＲＱ動作をサポートするために、ＡＣＫおよび／またはＮＡＣＫプロトコルを使用したエラー検出を担う。
【００４０】
デジタル・モデムの動的電力スケーリング
［0051］  第３世代および第４世代のワイヤレス規格は、異なるモードを実装するために、処理の複雑性（processing complexity）において、幅広い相違（wide variance）を有する。処理の複雑性の詳細は、有効なデータ転送速度、多入力多出力（ＭＩＭＯ）レイヤーの数、受信機の種類（例えば、発展型受信機が使用されているか、など）、セル・シナリオ（例えば、送信アンテナの数、ＭＩＭＯモード）、およびキャリアの数を含む、多くの要因に依存し得る。システムの計算の複雑性（computational complexity）は、前述の要因を使用して出力として各処理ブロックの周波数および電圧を提供する数式、および／または、テーブルを使用して、予測され得る。
【００４１】
［0052］  電力は希少資源であるので、電力を管理するための方法およびシステムを提供することが有効である。より高い電力消費は、ＵＥに対して、減少した通話時間および待機時間をもたらす。本開示は、電力を管理するために特定の周波数および電圧の組合せを動的に予測することに向けられている。さらに、本開示は、将来のデータ転送速度、およびそれに応じて消費される電力を予測する際の要因の１つとして、ＵＥによって報告されるチャネル状態インジケータ（channel state indicator）（例えば、チャネル品質インジケータ（ＣＱＩ：channel quality indicator））の使用に向けられている。
【００４２】
［0053］  図７は、内側の受信機（inner-receiver）７０２、外側の受信機（outer-receiver）７０４、送信モジュール７０６、ＤＳＰ／マイクロプロセッサ・コア７０８、およびハードウェア（ＨＷ）アクセラレータ７１０を有するモデム・コアを示す。１つの態様では、モデム・コアの複数のコンポーネントは、同じ周波数および電圧を有する。特に、モデム・サブシステムがただ１つの電力網（power grid）を有しているところは、電圧は、全てのコンポーネントに対して固定であり得る。同じ電圧において、クロック周波数を低下させることは、電力節約の効果がある。１つの態様において、周波数を最小限の周波数まで低下させることは、全体の性能を向上させる。
【００４３】
［0054］  他の態様では、モデム・コアの複数のコンポーネントの各々が、個別の電圧および周波数を有しており、このことは、電圧および周波数の両方のスケーリングを可能にする。各ブロックに対する電圧（Ｖ）および周波数（ｆ）は、コンポーネントの特定の処理の詳細に個々に基づいて得られ得る。例えば、内側の受信機７０２は、周波数ｆ２および電圧Ｖ２を使用する外側の受信機７０４より高い電圧／周波数（ｆ１、Ｖ１）を使用し得る。図７では、各ブロックは、固有の周波数ｆ１、ｆ２、ｆ３、ｆ４、ｆ５および電圧Ｖ１、Ｖ２、Ｖ３、Ｖ４、Ｖ５を有する。
【００４４】
［0055］  本開示の１つの態様は、将来のデータ転送速度を予測することに向けられている。ＵＥは、選択されたチャネル品質インジケータ（ＣＱＩ）、および／または、ランク・インジケーション（ＲＩ）の値を、ネットワークに報告する。ランク・インジケータは、同時に送信されることができるＭＩＭＯのレイヤーの数を示す。さらに、レイヤーの数は、データ転送速度に比例する。ＣＱＩは、ネットワークが将来の送信で使用し得る変調および符号化率（code rate）を特定する（効率を決定する）。ＬＴＥに関しては、有効なデータ転送速度は、（レイヤーの数）＊（効率）＊（サブキャリアの数）に比例する。共に、ＣＱＩおよびランク・インジケータは、ＵＥによって推奨される有効なデータ転送速度を特定する。
【００４５】
［0056］  ネットワークは、変調および符号化率をそれ自体で決定し得る。ネットワークによって選択される将来の変調および符号化率の値は、ＵＥ報告値（ＵＥ reported value）の特定の範囲内であることが、予想される。さらに、他の態様では、システムによって使用されるＭＩＭＯレイヤーの数は、チャネル状態、および／またはＣＱＩに基づいて予測され得る。
【００４６】
［0057］  図８は、ＣＱＩインデックス・テーブルを示す。例えば、ＣＱＩインデックス値が１であるとき、効率はおよそ０．１５である。１５のＣＱＩ値は、（同じ数のリソース・ブロックが使用されると想定すると、）最大のデータ転送速度に相当する。同じ数のリソース・ブロックが使用されると想定すると、および、ＭＩＭＯを考慮すると、最低速度のデータ転送速度と、最高速度のデータ転送速度との間に、７４倍の差［２×５．５５／０．１５］（difference of 74 times [2 x 5.55/0.15] ）がある。本開示の１つの態様では、およそのＣＱＩインデックスを知ることは、ＵＥのデータ転送速度のおよその予測を可能にする。
【００４７】
［0058］  例えば、すべてのリソース・ブロックが１つのＵＥに割り当てられると想定すると、１つのレイヤーを有する１５のＣＱＩインデックスは、７５ｍｂｐｓ（メガビット毎秒）のデータ転送速度に換算される。７５ｍｂｐｓのデータ転送速度は、１００のリソース・ブロックを有する２０ＭＨｚのシステムに対して、３ＧＰＰ規格によって規定されるレイヤー毎の最大トランスポート・ブロック・サイズ（７５３７６ビット）に相当する［３ＧＰＰスペック３６．２１３−８８０セクション７．１．７．２．２参照］。レイヤー毎に７５ｍｂｐｓを得るために、ネットワークは、毎ミリ秒最大のトランスポート・ブロック・サイズ（maximum transport block size every milli second）をスケジュールし、このことは、レイヤー毎に７５ｍｂｐｓ（７５３７６＊１０００）の最高のデータ転送速度をもたらす。他のＣＱＩ値のデータ転送速度は、下記の通り計算される。
【００４８】
データ転送速度ＣＱＩ  Ｉｎｄｅｘ  Ｘ＝７５ｍｂｐｓ＊（効率ＣＱＩ  Ｉｎｄｅｘ  Ｘ／５．５５４７）＊レイヤーの数。
【００４９】
［0059］  レイヤーの数は、同じ周波数で同時に送信されるＭＩＭＯストリームの数に言及する。例えば、１０のＣＱＩインデックス、および、２のレイヤーに対して、データ転送速度は、７５ｍｂｐｓ＊（２．７３０５／５．５５４７）＊２＝７３．７３ｍｂｐｓである。
【００５０】
［0060］  図８はまた、各ＣＱＩインデックスに対応する変調方式および符号化率を示す。例えば、１のＣＱＩ値は、７８の符号化率およびＱＰＳＫ変調方式に対応する。
【００５１】
［0061］  本開示の１つの態様は、将来のデータ転送速度を予測することに向けられている。例えば、図７を再度参照すると、各処理ブロック（例えば、コンポーネント７０２−７１０）に対して、特定のクロック周波数および電圧が、要因の第１のセット、例えば、これらに限定しないが、有効なデータ転送速度、受信機の種類（例えば、発展型受信機が使用されているかどうか）、セル・シナリオ（例えば、ＴＸアンテナの数、ＭＩＭＯレイヤーの数、ＭＩＭＯモード）、およびキャリアの数に基づいて、計算される。交互に、他の態様では、特定のクロック周波数および電圧が、ただ１つのブロックに対して事前計算されている。
【００５２】
［0062］  そして、有効なデータ転送速度が、ＵＥによって報告されるＣＱＩの値の関数として、予測される。さらに、予測されたデータ転送速度は、現在および過去のデータ転送速度の関数であり得る。次に、事前計算されたクロックおよび電圧は、（複数の）処理ブロックに動的に適用される。
【００５３】
［0063］  図９は、動的に電力をスケーリングするシステムの実装の一例である。典型的に、周波数を駆動する１つ以上の位相ロック・ループ（ＰＬＬ：phase locked loop）があり、それは、所望の周波数まで低減されることができる。特に、特定の周波数を得るために、第１のレシオ・サブデバイダ（ratio subdivider）が、第１のブロック９１０に適用され、異なる第２のレシオ・サブデバイダが、第２のブロック９１２に適用され、および、第３の異なるレシオ・サブデバイダが、ブロック９１４に適用される。レシオは、有効なデータ転送速度、受信機の種類（例えば、発展型受信機が使用されているかどうか）、セル・シナリオ（例えば、ＴＸアンテナの数、ＭＩＭＯレイヤーの数、ＭＩＭＯモード）およびキャリアの数に基づいて、計算される。予測されている有効なデータ転送速度は、ＵＥによって報告されるＣＱＩ値の関数である。有効なデータ転送速度はまた、現在および過去のデータ転送速度の関数であることができる。
【００５４】
［0064］  １つの態様では、ブロックは、ＣＱＩ値を調べ、かつそれに従って周波数を調整することが可能である。例えば、アルゴリズム由来の構成制御ライン（algorithm derived configuration control line）は、ブロック固有のクロック制御コンポーネント（drive block-owned clock control component）９２２、９２４、９２６を駆動して適切なクロック・ソースおよびサブデバイダ・レシオを選択するために、計算された周波数を適用する。
【００５５】
［0065］  マクロスケールのレベル（macro-scale level）において、事前計算された電圧が、全体のＶｄｄ電力レールを調整することができる外部の電力管理集積回路（ＩＣ）（external power management integrated circuit）を駆動する。ミクロスケールのレベル（micro-scale level）において、アルゴリズム由来の構成制御ラインが、事前計算された電圧を、ブロック固有の電力崩壊スイッチ（block-owned power collapse switch）、および／または、低損失（ＬＤＯ：low drop-out）レギュレータを駆動するために、適用する。電力崩壊スイッチ９１６、９１８、および９２０は、特定のブロックが、使用されていない場合に、完全に電源を切られることを可能にする。ＬＤＯレギュレータは、共有の電力レールからの電圧を低下させることを可能にする。他の構成（図９に示されている）では、モデムは、さまざまなブロックおよび/またはアプリケーションを制御するために、複数のパワー・グリッド（Ｖｄｄ電力レール１およびＶｄｄ電力レール２）を含む。
【００５６】
［0066］  かくして、第１のブロック９１０は、第１の周波数ｆ１および電圧Ｖ１において動作することができる。これに対して、第２のブロック９１２、および第３のブロック９１４は、それぞれ固有の周波数、および、それぞれ固有の電圧Ｖ２、Ｖ３で、動作することができる。
【００５７】
［0067］  図９は、個別のブロックを制御する複数の電力制御装置を示す一例であるが、当業者は、１つの電力制御装置がすべてのブロックを制御するために使用され得ることを理解するだろう。同様に、単一のクロック制御エレメントは、全てのブロック９１０、９１２、９１４を制御することができる。
【００５８】
［0068］  図１０は、デジタル・モデムの動的電力スケーリングのための方法１０００を示す。ブロック１００２において、電子デバイスの回路によって消費される電力が動的にスケーリングされる。１つの態様では、電力スケーリングは、チャネル状態および／またはデータ転送速度に部分的に基づき得る。ブロック１００４において、電子デバイスは、スケーリングされた電力に従って動作する。
【００５９】
［0069］  図１１は、事前計算された電圧を使用して、全体のＶｄｄ電力レールを調整することができる外部の電力管理集積回路（ＩＣ）を駆動することの方法１１００を示す。ブロック１０１０において、構成制御ラインは、ブロック固有の電力崩壊スイッチ、および／または、低損失（ＬＤＯ）レギュレータを駆動するために、事前計算された電圧を適用する。ブロック１０２０において、電力崩壊スイッチ（power collapse switch）９１６、９１８、および９２０は、特定のブロックが、使用されていない場合に、完全に電源を切られることを可能にする。ブロック１１３０において、ＬＤＯレギュレータは、共有の電力レールからの電圧を低下させることを可能にする。
【００６０】
［0070］  １つの構成では、ＵＥ６５０は、電力を動的にスケーリングするための手段を含むワイヤレス通信のために構成されている。１つの態様では、電力を動的にスケーリングする手段は、電力を動的にスケーリングする手段によって列挙される機能を実行するように構成されているメモリ６６０、および／または、制御プロセッサ６５９であり得る。ＵＥ６５０はまた、スケーリングされた電力に従って動作するための手段を含むように構成されている。１つの態様では、動作手段は、動作手段によって列挙される機能を実行するように構成されているメモリ６６０、および／または、制御プロセッサ６５９であり得る。他の態様では、前述の手段は、前述の手段によって列挙される機能を実行するように構成されている任意の装置または任意のモジュールであり得る。
【００６１】
［0071］  図１２は、処理システム１２１４を用いる装置１２００のためのハードウェア実装（hardware implementation）の一例を示す図である。処理システム１２１４は、バス１２２４によって概して示されているバス・アーキテクチャによって実装され得る。バス１２２４は、処理システム１２１４の特定のアプリケーションおよび全体の設計制限に依存して、任意の数の相互接続バスおよびブリッジを含み得る。バス１２２４は、プロセッサ１２２２、モジュール１２０２、１２０４、およびコンピュータ可読媒体１２２６によって示されている１つ以上のプロセッサ、および／または、ハードウェア・モジュールを含むさまざまな回路を、一緒にリンクさせる。バス１２２４はまた、タイミング・ソース、周辺機器、電圧レギュレータ、およびパワー・マネジメント回路などのさまざまな他の回路をリンクさせ得、これらは本分野でよく知られているものであり、したがって、これ以上は説明されない。
【００６２】
［0072］  装置は、トランシーバ１２３０に結合されている処理システム１２１４を含む。トランシーバ１２３０は、１つ以上のアンテナ１２２０に結合されている。トランシーバ１２３０は、送信媒体を介してさまざまな他の装置との通信を可能にする。処理システム１２１４は、コンピュータ可読媒体１２２６に結合されるプロセッサ１２２２を含む。プロセッサ１２２２は、コンピュータ可読媒体１２２６に格納されるソフトウェアの実行を含む一般の処理に関与する。ソフトウェアは、プロセッサ１２２２によって実行されるとき、処理システム１２１４に、任意の特定の装置に関して説明されるさまざまな機能を実行させる。コンピュータ可読媒体１２２６はまた、ソフトウェアを実行するときにプロセッサ１２２２によって操作されるデータを格納するために使用され得る。
【００６３】
［0073］  処理システムは、電力スケーリング・モジュール１２０２を含む。電力スケーリング・モジュールは、電子デバイスの電力を動的にスケーリングすることができる。処理システムはまた、動作モジュール１２０４を含む。動作モジュール１２０４は、スケーリングされた電力に従って、電子デバイスを動作することができる。モジュールは、コンピュータ可読媒体１２２６内にあり／格納されており、プロセッサ１２２２において動作するソフトウェア・モジュール、プロセッサ１２２２に結合されている１つ以上のハードウェア・モジュール、またはこれらのある組合せであり得る。処理システム１２１４は、ＵＥ６５０のコンポーネントであり得、メモリ６６０、および／または制御装置／プロセッサ６５９を含み得る。
【００６４】
［0074］  当業者は、本開示に関連して本書に説明されているさまざまな例示的な論理ブロック、モジュール、回路、およびアルゴリズム・ステップが、電子ハードウェア、コンピュータ・ソフトウェア、またはこれら両方の組合せとして実装され得ることを理解するだろう。ハードウェアおよびソフトウェアのこのような互換性を明確に示すために、さまざまな例示的なコンポーネント、ブロック、モジュール、回路、およびステップが、概してこれらの機能に関して、上に説明されている。このようなプロセッサがハードウェアとして実装されるか、またはソフトウェアとして実装されるかは、システム全体に課せられた設計制限および特定のアプリケーションに依存するだろう。精通した当業者は、各特定のアプリケーションに対して、さまざまな方法で、開示された機能を実装し得るが、このような実装の決定（implementation decision）は、本開示の範囲からの逸脱を生じさせるものとして解釈されるべきではない。
【００６５】
［0075］  本開示に関連して本書に説明されているさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレー（ＦＰＧＡ）、または他のプログラマブル論理デバイス、離散ゲート、またはトランジスタ・ロジック、離散ハードウェア・コンポーネント、または、本書に説明されている機能を実行するように設計されているこれらの任意の組合せによって、実装または実行され得る。汎用プロセッサは、マイクロプロセッサであり得るが、しかし、選択的に、プロセッサは、任意の従来のプロセッサ、制御装置、マイクロコントローラ、またはステート・マシンであり得る。プロセッサはまた、複数のコンピュータ・デバイスの組合せ、例えば、１つのマイクロプロセッサ、複数のマイクロプロセッサ、ＤＳＰコアと関連した１つ以上のマイクロプロセッサ、またはその他任意のこのような構成と、ＤＳＰとの組み合わせであり得る。
【００６６】
［0076］  本開示に関連して本書に説明されているアルゴリズムまたは方法の複数のステップが、ハードウェアにおいて、プロセッサによって実行されるソフトウェア・モジュールにおいて、またはこれら２つの組合せにおいて、具現化され得る。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、またはその他任意の形態の、この分野で知られている記憶媒体に属し得る。例示的な記憶媒体は、プロセッサが記憶媒体からの読み取り、および記憶媒体への情報の書込みを行うことができるように、プロセッサに結合される。選択的に、記憶媒体は、プロセッサに統合され得る。プロセッサおよび記憶媒体は、ＡＳＩＣに属し得る。ＡＳＩＣは、ユーザ端末に属し得る。選択的に、プロセッサおよび記憶媒体は、個別のコンポーネントとして、ユーザ端末に属し得る。
【００６７】
［0077］  １つ以上の例示的な設計では、説明されている機能が、ハードウェア、ソフトウェア、ファームウェア、またはその他任意の組合せにおいて実装され得る。ソフトウェアにおいて実装される場合、機能は、コンピュータ可読媒体における１つ以上の命令またはコードに記憶され得るか、コンピュータ可読媒体における１つ以上の命令またはコードとして、送信され得る。コンピュータ可読媒体は、１つの場所から他の場所へ、コンピュータ・プログラムの転送を容易にする任意の媒体を含むコンピュータ記憶媒体および通信媒体の両方を含む。記憶媒体は、汎用の、または専用のコンピュータによってアクセスされることができる任意の利用可能な媒体であり得る。限定ではなく例の目的で、このようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラム・コード手段を搬送または記憶するために使用されることができ、および汎用のまたは専用のコンピュータ、または、汎用のまたは専用のプロセッサによってアクセスされることができるその他任意の媒体を備えることができる。また、任意の接続が、コンピュータ可読媒体と適切に称される。例えば、ソフトウェアは、ウェブサイト、サーバ、または同軸ケーブル、光ファイバー・ケーブル、ツイスト・ペア、デジタル加入者回線（ＤＳＬ）、または、赤外線の、無線の、およびマイクロ波のようなワイヤレス技術を使用する他の遠隔ソースから送信され、そして、同軸ケーブル、光ファイバー・ケーブル、ツイスト・ペア、ＤＳＬ、赤外線の、無線の、およびマイクロ波のようなワイヤレス技術は、媒体の定義に含まれる。本書で使用されているようなディスク（disk）およびディスク（disc）は、コンパクト・ディスク（ＣＤ)、レーザ・ディスク、光ディスク、デジタル多用途ディスク（ＤＶＤ)、フロッピー・ディスク（登録商標）、およびブルーレイ・ディスク（登録商標）を含み、ディスク（disk）は通例磁気的にデータを再生し、これに対してディスク（disc）は、レーザを用いて光学的にデータを再生する。上記の組合せはまた、コンピュータ可読媒体の範囲内に含まれるべきである。
【００６８】
［0078］  本開示の前述の説明は、当業者の誰でも、本開示を実施および使用することができるように、提供されている。本開示へのさまざまな変更は、当業者には容易に理解されるものであり、本書に定義される一般的な原則は、本開示の精神および範囲から逸脱しないで、他の態様にも適用され得る。かくして、本開示は、本書に記載の例および設計に限定されることは意図されないが、本書に開示されている新規の特徴および原理と一致する最も広い範囲が与えられるべきである。
【図１】
2015534349.tif 000003
【図２】
2015534349.tif 000004
【図３】
2015534349.tif 000005
【図４】
2015534349.tif 000006
【図５】
2015534349.tif 000007
【図６】
2015534349.tif 000008
【図７】
2015534349.tif 000009
【図８】
2015534349.tif 000010
【図９】
2015534349.tif 000011
【図１０】
2015534349.tif 000012
【図１１】
2015534349.tif 000013
【図１２】
2015534349.tif 000014
【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
チャネル状態またはデータ転送速度のうちの少なくとも１つに少なくとも部分的に基づいて、電子デバイスの回路によって消費される電力を動的にスケーリングすることを備える、ワイヤレス通信の方法。
【請求項２】
前記動的にスケーリングすることは、予測される計算の複雑性に少なくとも部分的に基づいて、電圧および周波数をスケーリングすることを備える、請求項１に記載の方法。
【請求項３】
前記周波数は、サブデバイダ・レシオ（subdivider ratio）を適用することによって動的にスケーリングされる、請求項２に係る方法。
【請求項４】
前記予測される計算の複雑性は、有効なデータ転送速度、多入力多出力（ＭＩＭＯ）レイヤーの数、受信機の種類、セル・シナリオ、または、キャリアの数のうちの少なくとも１つに少なくとも部分的に基づく、請求項２に記載の方法。
【請求項５】
前記セル・シナリオは、送信アンテナの数、またはＭＩＭＯモードのうちの少なくとも１つを含む、請求項４に記載の方法。
【請求項６】
前記予測される計算の複雑性は、事前計算されたテーブルまたは数式のうちの少なくとも１つを使用して予測され得る、請求項４に記載の方法。
【請求項７】
チャネル状態またはチャネル品質インデックス（ＣＱＩ）のうちの少なくとも１つに少なくとも部分的に基づいて、ＭＩＭＯレイヤーの数を予測することをさらに備える、請求項４に記載の方法。
【請求項８】
ＣＱＩおよび現在のデータ転送速度に基づいて、前記有効なデータ転送速度を予測することをさらに備える、請求項４に記載の方法。
【請求項９】
前記回路の複数のコンポーネントに対して個別に電圧および周波数を動的にスケーリングすることをさらに備える、請求項１に記載の方法。
【請求項１０】
前記動的にスケーリングすることは、少なくとも１つの回路の電源を切ることをさらに備える、請求項１に記載の方法。
【請求項１１】
前記少なくとも１つの回路の電源を切ることは、電力崩壊スイッチを駆動することをさらに備える、請求項１０に記載の方法。
【請求項１２】
前記動的にスケーリングすることは、電力レールを調整することをさらに備える、請求項１に記載の方法。
【請求項１３】
前記チャネル状態は、ユーザ装置（ＵＥ）によって報告されるチャネル品質インジケータ（ＣＱＩ）インデックス値に対応する、請求項１に記載の方法。
【請求項１４】
前記データ転送速度は、現在および／または過去のデータ転送速度に対応する、請求項１に記載の方法。
【請求項１５】
メモリと、
前記メモリに結合されている少なくとも１つのプロセッサとを備え、前記少なくとも１つのプロセッサは、
チャネル状態またはデータ転送速度のうちの少なくとも１つに少なくとも部分的に基づいて、電子デバイスの回路によって消費される電力を動的にスケーリングするように構成されている、ワイヤレス通信のための装置。
【請求項１６】
前記少なくとも１つのプロセッサは、
予測される計算の複雑性に少なくとも部分的に基づいて電圧および周波数をスケーリングすることによって、動的にスケーリングするようにさらに構成されている、請求項１５に記載の装置。
【請求項１７】
前記周波数は、サブデバイダ・レシオを適用することによって動的にスケーリングされる、請求項１６に記載の装置。
【請求項１８】
前記予測される計算の複雑性は、有効なデータ転送速度、多入力多出力（ＭＩＭＯ）レイヤーの数、受信機の種類、セル・シナリオ、または、キャリアの数のうちの少なくとも１つに少なくとも部分的に基づく、請求項１６に記載の装置。
【請求項１９】
前記セル・シナリオは、送信アンテナの数、またはＭＩＭＯモードのうちの少なくとも１つを含む、請求項１８に記載の装置。
【請求項２０】
前記予測される計算の複雑性は、事前計算されたテーブルまたは数式のうちの少なくとも１つを使用して予測され得る、請求項１８に記載の装置。
【請求項２１】
前記少なくとも１つのプロセッサは、チャネル状態またはチャネル品質インデックス（ＣＱＩ）のうちの少なくとも１つに少なくとも部分的に基づいて、ＭＩＭＯレイヤーの数を予測するようにさらに構成されている、請求項１８に記載の装置。
【請求項２２】
前記少なくとも１つのプロセッサは、ＣＱＩおよび現在のデータ転送速度に基づいて前記有効なデータ転送速度を予測するようにさらに構成されている、請求項１８に記載の装置。
【請求項２３】
前記少なくとも１つのプロセッサは、前記回路の複数のコンポーネントに対して個別に電圧および周波数を動的にスケーリングするようにさらに構成されている、請求項１５に記載の装置。
【請求項２４】
前記少なくとも１つのプロセッサは、少なくとも１つの回路の電源を切ることによって動的にスケーリングするようにさらに構成されている、請求項１５に記載の装置。
【請求項２５】
前記少なくとも１つのプロセッサは、電力崩壊スイッチを駆動することによって少なくとも１つの回路の電源を切るようにさらに構成されている、請求項２４に記載の装置。
【請求項２６】
前記少なくとも１つのプロセッサは、電力レールを調整することによって動的にスケーリングするようにさらに構成されている、請求項１５に記載の装置。
【請求項２７】
前記チャネル状態は、ユーザ装置（ＵＥ）によって報告されるチャネル品質インジケータ（ＣＱＩ）インデックス値に対応する、請求項１５に記載の装置。
【請求項２８】
前記データ転送速度は、現在の、および／または、過去のデータ転送速度に対応する、請求項１５に記載の装置。
【請求項２９】
記録されたプログラム・コードを有する、ワイヤレス・ネットワークにおけるワイヤレス通信のためのコンピュータ可読記憶媒体であって、前記プログラム・コードは、
チャネル状態またはデータ転送速度のうちの少なくとも１つに少なくとも部分的に基づいて、電子デバイスの回路によって消費される電力を動的にスケーリングするためのプログラム・コードを備える、コンピュータ可読記憶媒体。
【請求項３０】
チャネル状態またはデータ転送速度のうちの少なくとも１つに少なくとも部分的に基づいて、電子デバイスの回路によって消費される電力を動的にスケーリングするための手段と、
前記スケーリングされた電力に従って前記電子デバイスを動作するための手段と、を備える、ワイヤレス通信のための装置。
【手続補正２】
【補正対象書類名】明細書
【補正対象項目名】００６８
【補正方法】変更
【補正の内容】
【００６８】
［0078］  本開示の前述の説明は、当業者の誰でも、本開示を実施および使用することができるように、提供されている。本開示へのさまざまな変更は、当業者には容易に理解されるものであり、本書に定義される一般的な原則は、本開示の精神および範囲から逸脱しないで、他の態様にも適用され得る。かくして、本開示は、本書に記載の例および設計に限定されることは意図されないが、本書に開示されている新規の特徴および原理と一致する最も広い範囲が与えられるべきである。
以下に本願出願当初の特許請求の範囲を付記する。
[Ｃ１]  チャネル状態またはデータ転送速度のうちの少なくとも１つに少なくとも部分的に基づいて、電子デバイスの回路によって消費される電力を動的にスケーリングすることを備える、ワイヤレス通信の方法。
[Ｃ２]  前記動的にスケーリングすることは、予測される計算の複雑性に少なくとも部分的に基づいて、電圧および周波数をスケーリングすることを備える、Ｃ１に記載の方法。
[Ｃ３]  前記周波数は、サブデバイダ・レシオ（subdivider ratio）を適用することによって動的にスケーリングされる、Ｃ２に係る方法。
[Ｃ４]  前記予測される計算の複雑性は、有効なデータ転送速度、多入力多出力（ＭＩＭＯ）レイヤーの数、受信機の種類、セル・シナリオ、または、キャリアの数のうち少なくとも１つに少なくとも部分的に基づく、Ｃ２に記載の方法。
[Ｃ５]  前記セル・シナリオは、送信アンテナの数、またはＭＩＭＯモードのうちの少なくとも１つを含む、Ｃ４に記載の方法。
[Ｃ６]  前記予測される計算の複雑性は、事前計算されたテーブルまたは数式のうちの少なくとも１つを使用して予測され得る、Ｃ４に記載の方法。
[Ｃ７]  チャネル状態またはチャネル品質インデックス（ＣＱＩ）のうちの少なくとも１つに少なくとも部分的に基づいて、ＭＩＭＯレイヤーの数を予測することをさらに備える、Ｃ４に記載の方法。
[Ｃ８]  ＣＱＩおよび現在のデータ転送速度に基づいて、前記有効なデータ転送速度を予測することをさらに備える、Ｃ４に記載の方法。
[Ｃ９]  前記回路の複数のコンポーネントに対して個別に電圧および周波数を動的にスケーリングすることをさらに備える、Ｃ１に記載の方法。
[Ｃ１０]  前記動的にスケーリングすることは、少なくとも１つの回路の電源を切ることをさらに備える、Ｃ１に記載の方法。
[Ｃ１１]  前記少なくとも１つの回路の電源を切ることは、電力崩壊スイッチを駆動することをさらに備える、Ｃ１０に記載の方法。
[Ｃ１２]  前記動的にスケーリングすることは、電力レールを調整することをさらに備える、Ｃ１に記載の方法。
[Ｃ１３]  前記チャネル状態は、ユーザ装置（ＵＥ）によって報告されるチャネル品質インジケータ（ＣＱＩ）インデックス値に対応する、Ｃ１に記載の方法。
[Ｃ１４]  前記データ転送速度は、現在および／または過去のデータ転送速度に対応する、Ｃ１に記載の方法。
[Ｃ１５]  メモリと、
前記メモリに結合されている少なくとも１つのプロセッサとを備え、前記少なくとも１つのプロセッサは、
チャネル状態またはデータ転送速度のうちの少なくとも１つに少なくとも部分的に基づいて、電子デバイスの回路によって消費される電力を動的にスケーリングするように構成されている、ワイヤレス通信のための装置。
[Ｃ１６]  予測される計算の複雑性に少なくとも部分的に基づいて電圧および周波数をスケーリングすることによって、動的にスケーリングするようにさらに構成されている、Ｃ１５に記載の装置。
[Ｃ１７]  前記周波数は、サブデバイダ・レシオを適用することによって動的にスケーリングされる、Ｃ１６に記載の装置。
[Ｃ１８]  前記予測される計算の複雑性は、有効なデータ転送速度、多入力多出力（ＭＩＭＯ）レイヤーの数、受信機の種類、セル・シナリオ、または、キャリアの数のうちの少なくとも１つに少なくとも部分的に基づく、Ｃ１６に記載の装置。
[Ｃ１９]  前記セル・シナリオは、送信アンテナの数、またはＭＩＭＯモードのうちの少なくとも１つを含む、Ｃ１８に記載の装置。
[Ｃ２０]  前記予測される計算の複雑性は、事前計算されたテーブルまたは数式のうちの少なくとも１つを使用して予測され得る、Ｃ１８に記載の装置。
[Ｃ２１]  前記少なくとも１つのプロセッサは、チャネル状態またはチャネル品質インデックス（ＣＱＩ）のうちの少なくとも１つに少なくとも部分的に基づいて、ＭＩＭＯレイヤーの数を予測するようにさらに構成されている、Ｃ１８に記載の装置。
[Ｃ２２]  前記少なくとも１つのプロセッサは、ＣＱＩおよび現在のデータ転送速度に基づいて前記有効なデータ転送速度を予測するようにさらに構成されている、Ｃ１８に記載の装置。
[Ｃ２３]  前記少なくとも１つのプロセッサは、前記回路の複数のコンポーネントに対して個別に電圧および周波数を動的にスケーリングするようにさらに構成されている、Ｃ１５に記載の装置。
[Ｃ２４]  前記少なくとも１つのプロセッサは、少なくとも１つの回路の電源を切ることによって動的にスケーリングするようにさらに構成されている、Ｃ１５に記載の装置。
[Ｃ２５]  前記少なくとも１つのプロセッサは、電力崩壊スイッチを駆動することによって少なくとも１つの回路の電源を切るようにさらに構成されている、Ｃ２４に記載の装置。
[Ｃ２６]  前記少なくとも１つのプロセッサは、電力レールを調整することによって動的にスケーリングするようにさらに構成されている、Ｃ１５に記載の装置。
[Ｃ２７]  前記チャネル状態は、ユーザ装置（ＵＥ）によって報告されるチャネル品質インジケータ（ＣＱＩ）インデックス値に対応する、Ｃ１５に記載の装置。
[Ｃ２８]  前記データ転送速度は、現在の、および／または、過去のデータ転送速度に対応する、Ｃ１５に記載の装置。
[Ｃ２９]  ワイヤレス・ネットワークにおけるワイヤレス通信のためのコンピュータ・プログラム製品であって、
記録された非一時的なプログラム・コードを有する非一時的なコンピュータ可読媒体を備え、前記プログラム・コードは、
チャネル状態またはデータ転送速度のうちの少なくとも１つに少なくとも部分的に基づいて、電子デバイスの回路によって消費される電力を動的にスケーリングするためのプログラム・コードを備える、コンピュータ・プログラム製品。
[Ｃ３０]  チャネル状態またはデータ転送速度のうちの少なくとも１つに少なくとも部分的に基づいて、電子デバイスの回路によって消費される電力を動的にスケーリングするための手段と、
前記スケーリングされた電力に従って前記電子デバイスを動作するための手段と、を備える、ワイヤレス通信のための装置。
【国際調査報告】
2015534349.tif 000015
2015534349.tif 000016